Podtech/llm-jp-corpus-v4-ja_patent huggingface dataset:
(57)【要約】【課題】  従来のスポンジフィルターと総称される濾過装置では、本体の高さが高いこと、濾過材の表面の全方向から吸水することで、大きな濾過材を取り付けた場合に効率が落ちる事や、低い水深で使えないなどの問題があった。【解決手段】  濾過材の通水が起きることで濾過効率の低下する面に通水阻害材を取り付けたことで、濾過容積を無駄なく利用できるようになる。これにより、低い水深で利用しても濾過効率が低下せず、濾過材の高さを抑えたまま大きくすることができ、結果として全体の高さを抑えた設計も可能になり、低い水深でも効率の良い濾過が行える。【選択図】図１
2019017371.tif 000002
【特許請求の範囲】
【請求項１】
重しとなる板状の土台と、土台の中央に、固定もしくは脱着可能にし、水を通すための穴をあけた筒状体と、筒状体の周囲に装着された上面及び通水することで濾過効率が低下する面からの通水を阻害する通水阻害材を含む濾過装置。
【発明の詳細な説明】
【技術分野】
【０００１】  本発明は観賞魚などの水棲生物の飼育において使用されるスポンジフィルターの高さを抑え、特定方向の水の浸入を防ぐことで濾過材を有効に使える設計とした濾過装置である。
【背景技術】
【０００２】  観賞魚などの水棲生物の飼育において使用される濾過装置で一般的にスポンジフィルターと呼ばれるものがある。
これには以下のような問題点があった。
・本体の高さ１００ｍｍ程度はあり、当然１００ｍｍを切る低い水深では使えない。
・スポンジの全方向から水を吸い込むため、スポンジを濾過材として有効に使いきれない。
【発明の概要】
【発明が解決しようとする課題】
【０００３】解決を図る課題は以下のものである。
・スポンジフィルター本体に必要最低限以上の高さがあると、低水深で使えない事。
・濾過材が全方向から吸水すると濾過容積を有効に使いきれない、このため濾過材となるスポンジの大きさにも制限がかかる事。
【課題を解決するための手段】
【０００４】  本発明は、上記目的を達成するものであり、重しとなる板状の土台と、土台の中央に、固定もしくは脱着可能にし、水を通すための穴をあけた筒状体と、筒状体の周囲に装着された上面及び通水することで濾過効率が低下する面からの通水を阻害する通水阻害材を含む濾過装置である。【０００５】  スポンジフィルターは、水中に沈め、中央の筒状態に、細い管で空気を送り込み、その浮力で筒状体内部の圧力を下げて、筒状体側面の穴及び周囲に装着した濾過材に水を引き込み通水させることで駆動するフィルターである。この筒状体を通過した水はすでに濾過された水であるが、水深の浅い場合や、濾過材の面積が大きすぎる場合には上面から濾過された水を再び吸水してしまい、循環効率が著しく低下する。
しかし、本発明の通水阻害材を取り付けた濾過材であれば、上面からの通水はなくなるので、循環効率が低下しなくなる。【０００６】発明の効果
上述のしたように、本発明のスポンジフィルターは、濾過材上面からの吸水がなくなるため、濾過材の高さを抑えたものを利用できる。
それにより、本体の高さを抑えることができる、その結果、４０ｍｍ程度の浅い水深でも利用でき、水深１５０ｍｍ程度を超えれば誘気水流を十分に作り出すことができる。
【図面の簡単な説明】
【０００７】
【図１】本発明の実施例を示す俯瞰図である。
【図２】本発明の正面切断図である。
【図３】本発明により作り出した水流を示す図である。
【発明を実施するための形態】
【０００８】  本発明を、図１〜２に示した試作機をもとに説明する。
比重が３程度かそれ以上の物質で作った薄い円形や正方形などの形をした土台の中央部に水を取り込む穴と、駆動に必要な空気を送り込むための管（以下、エアーチューブと表記する）を通す穴を設けた本体に、土台と同程度から一割ほど大きく切り出したスポンジのほぼ中央に穴をあけたものを差し込み、エアーチューブを通したものである。
このスポンジの上面に軟質シリコン樹脂等適宜素材を塗布や貼り付けるなどの処理することで、特定方向からの通水を阻害する処理をしておく。
【符号の説明】
【０００９】１は濾過材となる通水阻害材を塗布したスポンジである。
２は中央管である。
３はモルタルなどの重い素材で構成した土台である。
４はエアーチューブである。
５は中央管にあけた穴である。
６は通水を阻害するために塗布したシリコン樹脂である。
７は該より吐出された気泡を示している。
８は該周辺で起こる水の流れを示した矢印である。
９は作図の都合で便宜的に作り出したエアーチューブの末端を示している。この先にエアーポンプを取り付けて使用する。
【図１】
2019017371.tif 000003
【図２】
2019017371.tif 000004
【図３】
2019017371.tif 000005
(57)【要約】【課題】なぜ日本酒を使った梅酒がないのか。甘すぎずさっぱりとした日本料理に合う酒が欲しかった。【解決手段】へたを取って水洗いし、ざるにあげて水切りをした梅を焼酎３５度「又わアルコール」で洗い、容器１に入れてマイナス２０度以下で一晩以上おくＳ１。容器３にＳ１の冷凍した梅５ｋｇを入れＳ３、日本酒５升（９．０Ｌ）を加えＳ５、氷砂糖７５０ｇを加え混ぜるＳ７。容器５を１か月間冷蔵庫マイナス５度に保管する。容器５から、梅を取り出すＳ９。【特許請求の範囲】
【請求項１】
梅１．０×ｎｋｇ〜５．０×ｎｋｇのへたを取り、水洗いして、ざるにあげ、水分を切り、焼酎３５度で洗う梅洗い工程と、
容器１に梅１．０×ｎｋｇを入れてマイナス２０度で冷凍する工程と
容器３に、前記容器の内容物５ｋｇに、日本酒を、１．８×ｎＬ〜５ｎＬの所定量を入れる清酒入れ工程と、
容器３に氷砂糖１５０×ｎｇ〜７５０ｎｇの所定量を入れて混ぜる氷砂糖入れ工程と、
前記清酒入れ工程で日本酒が入れられ、前記氷砂糖入れ工程で氷砂糖が入れられる工程を、有することを特徴とする日本酒をベースにした梅酒作りの製造方法。
【発明の詳細な説明】
【技術分野】
【０００１】
【背景技術】
【０００２】
【先行技術文献】
【０００３】
【特許文献１】
【特許文献２】
【非特許文献】
【０００４】
【非特許文献１】
【非特許文献２】
【発明の概要】
【発明が解決しようとする課題】
【日本酒で。梅酒にすると。カビができやすい。】
【課題を解決するための手段】
【梅お冷凍する】
【発明の効果】
梅お冷凍すると短時間で梅のエキスが出やすい。
【図面の簡単な説明】
【図１】
【発明を実施するための形態】
【実施例】
【産業上の利用可能性】
【符号の説明】
【受託番号】
【図１】
2019017377.tif 000002
【手続補正書】
【提出日】平成29年10月4日(2017.10.4)
【手続補正２】
【補正対象書類名】明細書
【補正対象項目名】全文
【補正方法】変更
【補正の内容】
【発明の詳細な説明】
【技術分野】
【０００１】食品を冷凍する。
【背景技術】
【０００２】冷凍、冷蔵技術
【発明が解決しようとする課題】
【０００３】常温で酒で梅酒を作ると、カビ、梅のエキスがでるまで、時間がかかるので酢になりやすい。
日本酒で、梅酒にすると。カビができやすい。
【課題を解決するための手段】
梅を冷凍する。冷蔵庫で保管する。３ヶ月が限度
それ以上すると、梅が破裂することがある。
【発明の効果】
【０００４】梅を冷凍すると短時間で梅のエキスが出やすい。
【図面の簡単な説明】
【０００５】
【図１】販売を見ながら、１年中梅酒を生産、販売できる。１ヶ月から３ヶ月で梅酒になる。アルコールの弱い人でも飲みやすい。
(57)【要約】      （修正有）【課題】発電機の明確な増幅発電システムを提供する。【解決手段】回転基軸２にはコイル３と歯車４があり一対で軸受け１により保持し回転可能である。一方、回転軸６にはコイル７とリング歯車８があつて一対で、回転基軸の外周にあり軸受け５により保持され回転可能である。外力により、フランジ１１に回転力が発生すると同軸の回転基軸２、コイル３、歯車４が回転する。同時に歯車４と噛み合う歯車９も回転する。歯車９は固定して居る軸を中心に、歯車４とは反対方向に回転し、リング歯車８を回転させる。さらに歯車８と連動している回転軸６とコイル７が回転し、回転基軸２と回転軸６とは、双方、相反する方向に回転してコイル３とコイル７の擦れ違う速度を高める。【選択図】図１
2019017233.tif 000002
【特許請求の範囲】
【請求項１】
回転基軸２にはコイル３、と歯車４があり常に一体で軸受け１により保持され回転可能である。
他方、回転軸６はコイル７、とリング歯車８を有し一体を成して、回転基軸の外周にあつて、軸受け５により保持され回転可能である。
これら、回転基軸の４、と、回転軸の８は、歯車９と噛み合い、９を介して回転基軸と、回転軸を相反する方向に回転させるとした双方向回転の発電装置
【発明の詳細な説明】
【技術分野】
【０００１】  この発明は、内側と外側にあるコイルを相反する方向に回転させてなる発電装置である。
【背景技術】
【０００２】  発電機中心部のコイルが回転して発電するのが一般的である。
【先行技術文献】
【特許文献】
【０００３】
【発明の概要】
【発明が解決しようとする課題】
【０００４】  発電機における発電システムは日々機能向上が計られているが、その成果はままならず、明確な増幅発電システムが期待されている。
【課題を解決する為の手段】
【０００５】  本来固定としていたコイル７の部分を回転させる為に、軸６と軸受け５を設けると、共に、歯車４と歯車９及び、リング歯車８を組み合わせて、９は４と８の双方に噛み合うことで回転基軸２及びコイル３、歯車４と、回転軸６及びコイル７、リング歯車８を、双方、反対方向に回転させるとしたものである。
【発明の効果】
【０００６】  回転基軸２及びコイル３、歯車４と回転軸６及びコイル７、リング歯車８は互いに反対方向に回転するので、３と７の擦れ違う速度が上がり、擦れ違う回数も多くなるので、その結果、発電能力を上げるとした効果がある。
【図面の簡単な説明】
【０００７】
【図１】  断面図
【図２】  ２、４、８、９、１０の垂直断面図
【図３】  ３、７の垂直断面図
【図４】  ２、５、６の垂直断面図
【図５】  １、２の垂直断面図
【発明を実施する為の形態】
【０００８】  図１及び図２において、本発明を実施する為の形態について説明する。
回転基軸２にはコイル３と歯車４があり一対で軸受け１により保持し回転可能である。
一方、回転軸６にはコイル７とリング歯車８があつて一対で、回転基軸の外周にあり軸受け５により保持され回転可能である。
各軸受けは他部に個定である。外力により、フランジ１１に回転力が発生すると同軸の２、３、４が回転する。
同時に４と噛み合う歯車９も回転する。９は固定して居る軸１０を中心に、
４とは反対方向に回転し、リング歯車８を回転させる。さらに８と連動している６、と７が回転し、２、３、４の回転と、６、７、８の回転は、双方、相反する方向に回転してコイル３とコイル７の擦れ違う速度を高めるとしたものである。
尚、歯車４、と、歯車９は外周に歯を有し、リング歯車８は内周に歯を有している。
電気は３と７の擦れ違う事により発生するが、その発電システムについては広く公知しているので説明は省略する。
本発明は自転車や自動車等の小型のものから、工事用のもの、大型の事業用発電機それに、風力、水力、火力や海流にも巾広く対応出来て、技術的にも難しいものではなく、実施は容易である。
【符号の説明】
【０００９】  １  −  軸受け              ２  −  回転軸              ３  −  コイル
４  −  歯車                ５  −  軸受け              ６  −  回転軸
７  −  コイル              ８  −  リング歯車          ９  −  歯車
１０  −  軸                １１  −  フランジ          １２  −カバ−
１３  −  補強材
【図１】
2019017233.tif 000003
【図２】
2019017233.tif 000004
【図３】
2019017233.tif 000005
【図４】
2019017233.tif 000006
【図５】
2019017233.tif 000007
【手続補正書】
【提出日】平成30年6月29日(2018.6.29)
【手続補正１】
【補正対象書類名】明細書
【補正対象項目名】０００７
【補正方法】変更
【補正の内容】
【０００７】
【図１】  水平断面図
【図２】  Ａ―Ａ  ２、４、８、９、１０の垂直断面図
【図３】  Ｂ―Ｂ  ３、７の垂直断面図
【図４】  Ｃ―Ｃ  ２、５、６の垂直断面図
【図５】  Ｄ―Ｄ  １、２の垂直断面図
【手続補正２】
【補正対象書類名】図面
【補正対象項目名】全図
【補正方法】変更
【補正の内容】
【図１】
2019017233.tif 000008
【図２】
2019017233.tif 000009
【図３】
2019017233.tif 000010
【図４】
2019017233.tif 000011
【図５】
2019017233.tif 000012
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
回転基軸と一体の歯車４の外周に複数個の歯車９を噛み合わせて、かつ、回転軸のリング歯車８の内周部に収納し噛み合わせて成る回転方向変換装置
【請求項２】
回転基軸と回転軸の双方を相反する方向に回転させるとした双方向回転の発電装置
【請求項３】
コイル７に接続する整流子１４を備えた６の回転軸、
(57)【要約】      （修正有）【課題】物の出し入れや物書きそして簡単な飲食等が座ったままでより簡便に行える、肘掛けの中にテーブルワゴンを設けた、テーブルワゴン付き椅子を提供する。【解決手段】椅子肘掛け部（１）の中に納まり、そしてそこから引き出し独立して使用する事も可能なテーブルワゴン部（２）を設け、それからテーブルワゴン部（２）を椅子肘掛け部（１）の中に納めた時に、簡単にテーブルワゴン部が出てきてしまわないようにする為、開き止めの磁石（３）を設けたテーブルワゴン付き椅子を特徴とする。【選択図】図１
2019017960.tif 000002
【特許請求の範囲】
【請求項１】
椅子肘掛け部（１）の中に、テーブルワゴン部（２）を設け、肘掛け部とテーブルワゴン部が密着して合わさる部分（４）には開き止めの磁石（３）を取り付けた、テーブルワゴン付き椅子。
【発明の詳細な説明】
【技術分野】
【０００１】  この発明は、肘掛けの中に移動可能なテーブルワゴンを設けた、テーブルワゴン付き椅子に関するものである。
【背景技術】
【０００２】  従来、ワゴン機能付き椅子は椅子とワゴンが一体となって、ワゴンの上面の一部かもしくはその全体が座部になり、ワゴンの上に座る形になっていた。
【先行技術文献】
【特許文献】
【０００３】
【特許文献１】特開２００５−４６２５１号公報
【発明の概要】
【発明が解決しようとする課題】
【０００４】  ワゴン部の上面に椅子の座部があるという形は、座り心地は安定するものの、ワゴン部から物を取り出そうとする時体を大きく曲げたり、立ち上がったりして取りにいかねばならないという欠点があった。
本発明は、以上の様な欠点を無くすためになされたものである。
【課題を解決するための手段】
【０００５】  椅子肘掛け部（１）の中に、全体が完全に納まり、そしてそこから引き出し、独立して使用する事も可能なテーブルワゴン部（２）を設ける。それからテーブルワゴン部（２）を椅子肘掛け部（１）の中に納めた時に、簡単にテーブルワゴン部（２）が出てきてしまわないように、開き止めの磁石（３）を設ける。
【発明の効果】
【０００６】  テーブルワゴン部が椅子肘掛け部と一体となった事によって、ほとんど体を曲げる事無く引き出してテーブルワゴン部を使えるようになり、中に入っている物の出し入れもより簡便になる。
またテーブルワゴン部が完全に椅子肘掛け部から出て独立して使える事により、使用者の都合の良い所へそれを持って来て最上板部を簡単なテーブルや机としても使えるようになる。
【図面の簡単な説明】
【０００７】
【図１】本発明の斜視図である。
【図２】本発明の側面図である。
【図３】本発明の側面図である。
【図４】本発明のテーブルワゴン部右側面斜視図である。
【図５】本発明のテーブルワゴン部背面図である。
【発明を実施するための形態】
【０００８】  以下本発明を実施するための形態について説明する。
椅子肘掛け部（１）の中に全て納まり、脚部に移動を可能にするキャスター（６）が付いたテーブルワゴン部（２）を設ける。
テーブルワゴン部（２）を椅子肘掛け部（１）の中に納めた時、テーブルワゴン部（２）が簡単に椅子肘掛け部（１）から出てきてしまわないようにする為に、肘掛け部とテーブルワゴン部が密着して合わさる部分（４）にそれぞれプラス、マイナスの磁石（３）を設ける。
本発明は、以上の様な構造である。
これを使用する時は、椅子肘掛け部（１）の中のテーブルワゴン部（２）に本や文房具やその他よく使う物を入れておけば、わざわざ他の場所に取りに行く手間が省けるし、またテーブルワゴン部（２）は独立して使う事も出来るので、好きな所に持っていく事が出来、最上板部（５）はテーブルや机として使用する事も出来る。
テーブルワゴン部（２）を完全に椅子肘掛け部（１）に納めた時には、見た目にもほとんど普通の椅子と変わらず使用する事も出来る。
【符号の説明】
【０００９】  １  椅子肘掛け部
２  テーブルワゴン部
３  磁石
４  肘掛け部とテーブルワゴン部が密着して合わさる部分
５  最上板部
６  キャスター
【図１】
2019017960.tif 000003
【図２】
2019017960.tif 000004
【図３】
2019017960.tif 000005
【図４】
2019017960.tif 000006
【図５】
2019017960.tif 000007
(57)【要約】【課題】箸置きが無い場合に、箸袋が手間入らずに簡易箸置きになり、箸袋のデザインや表示を隠さない折りたたみ式スタンド付き箸袋の簡易箸置きを提供する。【解決手段】割り箸などを入れる箸袋にスタンドを設け、スタンドを起こし箸袋を立てたところに箸をもたれさせることにより簡易箸置きになり、箸袋のデザインや表示を損なうことなく見せることが出来るのを特徴とする、折りたたみ式スタンド付き箸袋の簡易箸置き。【選択図】図４
2019017963.tif 000002
【特許請求の範囲】
【請求項１】
割り箸などを入れる箸袋にスタンドを設け、スタンドを起こし箸袋を立てたところに箸をもたれさせることにより簡易箸置きになり、箸袋のデザインや表示を損なうことなく見せることが出来るのを特徴とする、折りたたみ式スタンド付き箸袋の簡易箸置き。
【発明の詳細な説明】
【技術分野】
【０００１】  本発明は、食事で箸置きが無い場合、箸袋が簡易箸置きとして使うことが出来、箸袋に記載しているデザインや表示を隠さない折りたたみ式スタンド付き箸袋の簡易箸置きに関するものである。【０００２】  従来、箸袋入り割り箸などでの食事で箸を食卓に置く場合で、箸置きが無ければ各自が箸袋を折って簡易箸置きを作り、箸を置いている。
【発明の開示】
【発明が解決しようとする課題】
【０００３】  そのために、次のような問題点があった。    （イ）各自が箸袋を一手間を掛けて折り、簡易箸置きを作っていた。    （ロ）箸を食卓に置いたり、器を箸置きの代用につかっていた。    （ハ）箸袋には印刷をしたものが多く、折ることにより印刷面のデザイン・食事の仕方などの伝達事項・広告などが隠れて見えなくなった。本発明は以上の問題点を解決しようとするものである。
【課題を解決するための手段】
【０００４】  割り箸などを入れる箸袋にスタンドを設け、スタンドを起こし箸袋を立てたところに箸をもたれさせることにより簡易箸置きになり、箸袋のデザインや表示を損なうことなく見せることが出来るのを特徴とする、折りたたみ式スタンド付き箸袋の簡易箸置きである。
【発明の効果】
【０００５】  本発明は、箸袋の折りたたみ式スタンドを起こすだけで、手間いらずの簡易箸置きになる。また、箸袋を折らないので箸袋の印刷面のデザイン・食事の仕方などの伝達事項・広告などが隠れて見えなくなることが無い。
【発明を実施するための最良の形態】
【０００６】  以下、本発明の実施の形態を説明する。  （イ）箸袋（１）に折りたたみ式スタンド（２）を設け、折りたたみ式スタンド（２）をたたんだ状態で箸袋（１）に割り箸（３）を入れておく（４）。本発明は、以上の構成よりなっている。本発明を使用するときは、上記の折りたたみ式スタンド（２）を起こして箸袋（１）を立てたところに割り箸（３）をもたれさせることで簡易箸置きになる。簡易箸置きとしての使用中は、箸袋（１）の箸袋デザイン（４）、デザインの説明文（５）、広告（６）が見られる。
【図面の簡単な説明】
【０００７】
【図１】本発明の正面図
【図２】本発明の背面図
【図３Ａ】本発明の割り箸セットの正面図
【図３Ｂ】本発明の使用状態を示す表面の斜視図
【図４】本発明の使用状態を示す裏面の斜視図
【符号の説明】
【０００８】１    箸袋２    折りたたみ式スタンド３    割り箸４    箸袋のデザイン５    デザインの説明文６    広告
【図１】
2019017963.tif 000003
【図２】
2019017963.tif 000004
【図３Ａ】
2019017963.tif 000005
【図３Ｂ】
2019017963.tif 000006
【図４】
2019017963.tif 000007
(57)【要約】【課題】  家庭で洗濯出来ない丹前と肩があいて寒いタオルケットの寝具を肩が暖かく家庭で洗濯出来るように、丹前の形で素材をタオル地にした綿なし丹前形のタオルケットを提供する。【解決手段】  綿を入れない丹前の形（１）で素材をタオル地（２）にした丹前形のタオルケットの寝具である。【選択図】図１
2019017967.tif 000002
【特許請求の範囲】
【請求項１】
綿を入れない丹前の形（１）で素材をタオル地（２）にした丹前形のタオルケット寝具。
【発明の詳細な説明】
【技術分野】
【０００１】  この発明は綿を入れない丹前の形をしたタオルケットに関するものである。
【背景技術】
【０００２】  従来丹前は綿が入っていた。又タオルケットは肩があいて寒かった。
【先行技術文献】
【特許文献】
【０００３】
【特許文献１】
【発明の概要】
【発明が解決しようとする課題】
【０００４】  従来丹前には綿が入っているので暖かいが家庭で洗濯出来なかった。
一方タオルケットは家庭で洗濯出来るが肩があいているので寒かった。
【課題を解決するための手段】
【０００５】  綿を入れない丹前の形（１）で素材をタオル地（２）にした丹前形のタオルケット寝具である。
【発明の効果】
【０００６】  タオル地で出来た綿の入らない丹前の形なので家庭で洗濯出来る為清潔である。肩もあいていないので暖かく安眠できる。
【図面の簡単な説明】
【０００７】
【図１】  本発明の正面図である
【発明を実施するための形態】
【０００８】  綿の入れない丹前の形（１）で素材をタオル地（２）にした丹前形のタオルケット寝具である。これを使用する時は、従来使用している丹前やタオルケットと同様に使用すれば良い。
【符号の説明】
【０００９】  １．丹前の形
２．タオル地
【図１】
2019017967.tif 000003